(57)【要約】【課題】ガスバリア性を有する収容室を備えた二室容器を提供する。【解決手段】内容物を収容可能な第１の収容部を有する容器本体１０と、容器本体１０の一端部に取り付けられる注出具３０と、を備え、注出具３０に他の内容物を収容可能な第２の収容部４５を具備する二室容器１であって、第２の収容部４５には、端面に破断可能な薄肉部４８と内外間を遮断するようにバリア層４７、４８、４９とが設けられ、注出具３０は、第２の収容部４５が取り付けられるキャップ４０と、キャップ４０の下方に配置され、容器本体１０の内部と連通する筒状体３４と、筒状体３４の内部を上下に区分けする仕切体３６と、キャップ４０の容器本体側への移動によって、薄肉部４８及び仕切体３６をそれぞれ破断する破断手段３７、５０と、を備えている。【選択図】図２
2014023772.tif 000002
【特許請求の範囲】
【請求項１】
内容物を収容可能な第１の収容部を有する容器本体と、当該容器本体の一端部に取り付けられる注出具と、を備え、当該注出具に他の内容物を収容可能な第２の収容部を具備する二室容器であって、
前記第２の収容部には、端面に破断可能な薄肉部と、内外間を遮断するようにバリア層と、が設けられ、
当該注出具は、
前記第２の収容部が取り付けられるキャップと、
前記キャップの下方に配置され、前記容器本体の内部と連通する筒状体と、
前記筒状体の内部を上下に区分けする仕切体と、
前記キャップの容器本体側への移動によって、前記薄肉部及び前記仕切体をそれぞれ破断する破断手段と、
を備えていることを特徴とする二室容器。
【請求項２】
前記破断手段は、
前記仕切体からキャップ側に突出し、前記薄肉部を破断する第１の突起体と、
前記第２の収容部の下端から前記仕切体側に突出し、前記仕切体を破断する第２の突起体と、を具備し、
前記第２の突起体の長さよりも前記第１の突起体の方が長いことを特徴とする請求項１に記載の二室容器。
【請求項３】
前記薄肉部と前記仕切体は、一部を残して破断されることを特徴とする請求項１、又は２に記載の二室容器。
【請求項４】
前記第２の収容部が嫌気性剤の収容室とされ、前記第１の収容部が前記嫌気性剤と混合される液体の収容室とされることを特徴とする請求項１〜３のいずれか一項に記載の二室容器。
【請求項５】
前記バリア層は、前記第２の収容部の内周面に配置されていることを特徴とする請求項１〜４のいずれか一項に記載の二室容器。
【発明の詳細な説明】
【技術分野】
【０００１】
本発明は、異なる２つの内容物をそれぞれ収容する２つの収容室を備えた二室容器に関する。
【背景技術】
【０００２】
液体と粉体とをそれぞれ収容する２つの収容室を具備した容器本体を備え、使用直前に容器本体内で当該液体と粉体を混合可能な二室容器が知られている（例えば、特許文献１参照）。
【０００３】
この二室容器は、例えば、輸液容器として用いられ、容器本体にキャップが螺合して取り付けられた容器であって、キャップに薬剤を収容する収容部を備え、容器本体に溶解液を収容する収容部を備え、収容部同士が連結体を介して連設して設けられている。
この二室容器を用いる場合は、キャップの回転操作によって、当該収容部同士を繋ぐ連結体を破り、２つの収容部を連通させて、薬剤と溶解液とを混合する。
【０００４】
そして、点滴具に一体的に接続された針をキャップの先端部に設けられているゴムに突き刺して、当該針をキャップに設けられた収容部まで刺通させることで輸液として点滴具の他端側から取り出すことができる。
【先行技術文献】
【特許文献】
【０００５】
【特許文献１】特開２００５−６９４５号公報
【発明の概要】
【発明が解決しようとする課題】
【０００６】
従来の二室容器は、薬剤の収容部が単層の樹脂構造であって、外気中の水分の透過はある程度防止できるものの、酸素の透過を防止したい場合には適用できず、使用できる内容物に制限がある。
【０００７】
そこで、本発明は、上記問題点に鑑みてなされたものであり、その目的の一例は、ガスバリア性を有する収容部を備えた二室容器を提供することにある。
【課題を解決するための手段】
【０００８】
上記課題を解決するため、本発明は次のような構成を採用する。
【０００９】
なお、本発明の理解を容易にするため括弧付きの符号を付すが、本発明はこれに限定されるものではない。
【００１０】
すなわち、請求項１に係る発明は、内容物を収容可能な第１の収容部を有する容器本体（１０）と、当該容器本体の一端部に取り付けられる注出具（３０）と、を備え、当該注出具に他の内容物を収容可能な第２の収容部（４５）を具備する二室容器（１）であって、前記第２の収容部には、端面に破断可能な薄肉部（４８）と、内外間を遮断するようにバリア層（４７、４８、４９）と、が設けられ、当該注出具は、前記収容部が取り付けられるキャップ（４０）と、前記キャップの下方に配置され、前記容器本体の内部と連通する筒状体（３４）と、前記筒状体の内部を上下に区分けする仕切体（３６）と、前記キャップの容器本体側への移動によって、前記薄肉部及び前記仕切体をそれぞれ破断する破断手段（３７、５０）と、を備えていることを特徴とする。
【００１１】
また、請求項２に係る発明は、請求項１に記載の二室容器において、前記破断手段は、前記仕切体からキャップ側に突出し、前記薄肉部を破断する第１の突起体（３７）と、前記第２の収容部の下端から前記仕切体側に突出し、前記仕切体を破断する第２の突起体（５０）と、を具備し、前記第２の突起体の長さよりも前記第１の突起体の方が長いことを特徴とする。
【００１２】
また、請求項３に係る発明は、請求項１、又は２に記載の二室容器において、前記薄肉部と前記仕切体は、一部を残して破断されることを特徴とする。
【００１３】
また、請求項４に係る発明は、請求項１〜３のいずれか一項に記載の二室容器において、前記第２の収容部が嫌気性剤の収容室とされ、前記第１の収容部が前記嫌気性剤と混合される液体の収容室とされることを特徴とする。
【００１４】
また、請求項５に係る発明は、請求項１〜４のいずれか一項に記載の二室容器において、前記バリア層は、前記第２の収容部の内周面に配置されていることを特徴とする。
【発明の効果】
【００１５】
本発明によれば、２つの収容室を有する二室容器において、少なくとも一方の収容室はガスバリア性を有するため、酸素との接触を防止したい内容物を用いた場合に変質や劣化が未然に防止される。
【図面の簡単な説明】
【００１６】
【図１】本発明に係る二室容器の一例を示す斜視図である。
【図２】図１に示す二室容器のＡ−Ａ断面図である。
【図３】図２に示す注出具の構成を示し、図３（ａ）はキャップの断面図、図３（ｂ）は収容体の断面図、図３（ｃ）は注出具基部の断面図である。
【図４】キャップの外観を示す斜視図である。
【図５】注出具基部の外観を示す斜視図である。
【図６】収容体の外観を示す斜視図である。
【図７】二室容器の使用例を示し、図７（ａ）は収容体の破断例を示す模式図、図７（Ｂ）は仕切体の破断例を示す模式図である。
【図８】包装体の他の実施形態を示す外観斜視図である。
【図９】キャップの他の実施形態を示し、図９（ａ）は外観図、図９（ｂ）は断面図である。
【図１０】収容体の他の実施形態を示し、図１０（ａ）は実施例１の外観図、図１０（ｂ）は実施例２の外観図である。
【図１１】仕切体の他の実施形態を示し、図１１（ａ）は実施例１の外観図、図１１（ｂ）は実施例２の外観図である。
【図１２】他の実施形態の包装体に取り付けられる注出具基部の断面図である。
【発明を実施するための形態】
【００１７】
以下、図面を参照して本発明を実施するための形態について説明する。
【００１８】
本実施形態の二室容器１は、２つの異なる内容物を個別に収容する収容室を備え、少なくとも一方の収容室にガスバリア性が付与され、使用時において、区分けされた２つの収容室を連通させて２つの異なる内容物が混合される。
【００１９】
この二室容器１は、図１及び図２に示すように、包装体（本願の容器本体）１０と、この包装体１０に取り付けられる注出具３０と、を備えている。注出具３０には、一方の内容物としての嫌気性剤が収容される収容室（本願の第２の収容部）として機能する収容体４５が設けられる。また、包装体１０の内部は、他方の収容室（本願の第１の収容部）として機能し、他方の内容物としての前記嫌気性剤と混合される液体が収容される。また、この二室容器１を、例えば、飲料用（コーヒー）として用いる場合、収容体４５にはインスタントコーヒーの粉末が収容され、包装体１０には水が収容される。
【００２０】
ここで、嫌気性剤は酸素との接触により酸化、変質、吸湿等し易いものであり、一般に粉状、粒状、顆粒状を呈する。より具体的には、嫌気性剤は薬剤のほかビタミン剤、茶、インスタントコーヒー等である。一方、当該嫌気性剤と混合される液体は、生理食塩水のほかブドウ糖液、水等である。
【００２１】
包装体１０は、合成樹脂フィルム、紙、アルミニウム箔などの金属箔などを適宜組み合わせた積層体からなるフィルム等の包材が用いられる。なお、この包材は、内容物の種類によって、ガスバリア性を有するフィルム又はシートを用いても構わない。
【００２２】
包装体１０は、図１に示すように、例えば、２枚の包材を重ね合わせて配置した前後（フィルム）パネル２、３間の縁部を熱接着により接合して形成される。
【００２３】
一方、注出具３０は、図２及び図３に示すように、包装体１０の一端側に取り付けられる注出具基部３３と、当該注出具基部３３に取り付けられるキャップ４０と、キャップ４０の内部に取り付けられる収容体４５と、を備えている。
【００２４】
注出具基部３３は、図３及び図５に示すように、上下両端部に開口を有し、包装体１０の内部と連通する筒状部３４（本願の筒状体）と、当該筒状部３４の基端部に当該筒状部３４と一体的に形成されている横断面が瞼状の接着基部３５と、を備えている。そして、当該接着基部３５が、図１に示すように、包装体１０を構成する前後パネル２、３間に挿入されて熱接着により当該包装体１０の一端に取り付けられる。
【００２５】
筒状部３４は、図３に示すように、適当な軸方向長さを有する筒状体であって、包装体１０の内部と外部との間の流通経路として機能する。この筒状体の内部下方には、流通経路を上下に仕切って閉塞する仕切体３６が設けられている。当該仕切体３６は、外周縁に形成された薄肉部３６ａを介して筒状部３４の内壁面に一体的に形成されている。
【００２６】
また、この仕切体３６の上面には、上方に突出する突起体３７（本願の第１の突起体）が設けられている。この突起体３７は、先端が先鋭状に形成されており、後述する収容体４５の下端面を遮蔽しているガスバリア体４８に突き刺して破断することにより収容体４５を開封する開封具として機能する。
【００２７】
筒状部３４の仕切体３６よりも上方外周面には、キャップ４０を取り付けるための螺子３４ａが形成されており、図２及び図３に示すように、当該螺子３４ａと協働するキャップ４０に形成された螺子４０ａにより、キャップ４０が注出具基部３３に取付可能となっている。
【００２８】
キャップ４０は、図３及び図４に示すように、円形状の天板４１と、この天板４１の外周から下方垂直方向に延びる側部体４２と、を備え、この天板４１と側部体４２は一体的に形成されている。
【００２９】
また、キャップ４０の天板４１には、注出具基部３３の筒状部３４の内径よりも少し小さな内径を有し、外周面が当該筒状部３４の内周面に接触するように配置される、当該筒状部３４と同心円であって筒状のインナーリング４３が設けられている。当該インナーリング４３は、天板４１から下方垂直方向に延びて、当該天板４１と一体的に形成される。
【００３０】
このインナーリング４３は、図２に示すように、キャップ４０を注出具基部３３に取り付けた状態において、常に注出具基部３３の筒状体３４と接触し、筒状体３４とインナーリング４３との隙間から内容物が外部へと漏れ出すことを防止する。
【００３１】
また、インナーリング４３の内側には、他方の内容物を収容する収容体４５が取り付けられる。
【００３２】
収容体４５は、図３及び図６に示すように、先端部がフランジ状に形成され、外形がカップ状に形成された上下端部に開口を有する略円筒状（円錐台形状も含む）の筒体４６と、当該筒体４６の内周面及び下端面に設けられるガスバリア材４７、４８と、筒体４６のフランジ面４６ａに設けられるガスバリア材４９と、を備える。筒体４６は、ガスバリア層として機能する当該ガスバリア材４７、４８、４９によって、上下開口が閉塞されて内外間が遮断されて密閉状態が保たれ、収容体４５は全体としてガスバリア性を付与される。なお、筒体４６の下端部は、閉塞されていても、薄肉にするなど破断可能な形態としていれば良い。また、ガスバリア材４８は本願の薄肉部として機能する。
【００３３】
筒体４６は、図２に示すように、そのフランジ部４６ｂがインナーリング４３の内周壁に設けられている突出部４４と係合してキャップ４０の天板４１の下方に取り付けられる。
【００３４】
また、図３及び図６に示すように、筒体４６の下端部には、径方向内側に突出して環状の端部体４６ｃが形成されており、この端部体４６ｃには、下方に延びる突起体５０（本願の第２の突起体）が設けられている。当該突起体５０は、注出具基部３３に取り付けられている仕切体３６を上方から押圧し、薄肉部３６ａを破断（切断）して、仕切体３６によって上下に区分けされた流通経路を連通させる。
【００３５】
ガスバリア材４７、４８、４９とは、酸素又は水蒸気の筒体４６の内外間の透過を遮断するものであって、例えば金属箔であるアルミニウム箔、ガスバリア性フィルム等で構成される。アルミニウム箔等は単独では破断しやすいので、例えばポリプロピレン樹脂フィルムでサンドイッチ状に積層したガスバリア材として取り扱われる。
【００３６】
具体的には、ガスバリア材４７、４８、４９は、例えばＰＰ（ポリプロピレン樹脂）／ＡＬ（アルミニウム箔）／ＰＰ、ＰＰ／アルミニウム蒸着ＰＥＴ（ポリエチレンテレフタレート）／ＰＰ等の積層フィルム又はシートとして構成される。
【００３７】
ガスバリア材４７、４８は例えば、インサート成形により上記筒体４６と一体化される。具体的には、筒体４６を成形する金型内に、ガスバリア材４７、４８がセットされ、溶融樹脂が金型内に射出されることで成形される。また、ガスバリア材４９は、射出成型後、熱溶着によってフランジ面４６ａに接合される。このようにして、図３に示すように、筒体４６の内面にガスバリア材４７、４８、４９が設けられた収容体４５が成形される。
【００３８】
また、図２乃至図４に示すように、キャップ４０を構成する側部体４２の下方には、環状のスペーサ５５が周縁に等間隔で配置された薄肉状の連結部５６によって取り付けられている。このスペーサ５５は、キャップ４０の位置決め用部材として用いられる。すなわち、このスペーサ５５を取り外すことによって、キャップ４０を所定の位置まで締め込むことやキャップ４０を取り外すことが可能となる。
【００３９】
また、スペーサ５５は、一部に薄肉部５７を有して環状に連結されている。当該スペーサ５５は、キャップ４０の回転操作や手でむしる等によって当該連結部５６が切断され、さらに薄肉部５７を切断することでキャップ４０から取り外される。
【００４０】
次に、上述した二室容器の使用形態について図７を用いて説明する。
【００４１】
まず、キャップ４０を回転させてキャップ４０とスペーサ５５との結合を解除し、スペーサ５５を注出具基部３３から取り外す。
【００４２】
次に、キャップ４０を閉じ方向（締め込む方向）に回転し、キャップ４０を図７（ａ）中の矢印に示すように、下方へと移動させるとともに、収容体４５も下方へと移動させる。これにより、仕切体３６に設けられた突起体３７が収容体４５の下端面に配置されるガスバリア体４８に突き刺さり破断され、収容体４５の下端部が開封される。
【００４３】
次に、更にキャップ４０を閉じ方向に回転し、図７（ｂ）に示すように、更に、キャップ４０及び収容体４５を下方へと移動させる。これにより、収容体４５の端部体４６ｃに設けられている突起体５０が仕切体３６を上方から押圧し、薄肉部３６ａを切断して、上下に区分けされた流通経路を連通させ、収容体４５と包装体１０の内部に収容された、嫌気性剤と、嫌気性剤と混合される液体と、が混合される。
【００４４】
そして、嫌気性剤と、嫌気性剤と混合される液体と、を十分に混合した後、キャップ４０を取り外すことによって、内容物を外部へと取り出すことができる。
【００４５】
このように構成された二室容器１は、酸素との接触を防止したい内容物を収容し、他の内容物と簡単に混合して、その混合物を外部へと取り出すことが可能である。例えば、嫌気性剤と、当該嫌気性剤と混合される液体とを個別の収容室に収容し、少なくとも嫌気性剤はガスバリア性を有している収容室（収容体４５）に収容する。これにより、収容体４５の外側から内側への酸素等の通過が防止され、収容体４５の内部への外気の侵入が防止されるので、収容体４５に収容される嫌気性剤の変質、劣化を防ぎ、開封するまでは長期保存が可能となる。
【００４６】
また、二室容器１は、キャップ４０の回転のみで簡単に嫌気性剤と液体とを混合することができ、混合された液体を外部へと取り出すことが可能である。
【００４７】
この二室容器１を例えば、点滴用バッグとして用いる場合には、収容体４５に嫌気性の薬剤を収容し、包装体１０の内部に生理食塩水等の液体を収容して、使用する際にこの薬剤と液体とを混合することで点滴液とする。この場合、カテーテルの一方の針によって、包装体内の点滴液を外部に取り出す必要があるため、キャップの一部を、図９に示すように、ゴム製のパッキン１４で形成することで、簡単に点滴液を外部に取り出すことが可能となる。
【００４８】
このキャップ４０Ａは、図９に示すように、例えば、天板１３ａと、天板１３ａの回りから垂下する側部体１３ｂとを具備する。この天板１３ａの下端面には、略垂直下方に延びるようにして側部体１３ｂと同心円であって筒状のインナーリング１５が設けられている。このインナーリング１５は、キャップ４０Ａを注出具基部３３に取り付けた状態において、常に注出具基部３３の筒状体３４の内壁面と接触し、筒状体３４とインナーリング４３との隙間から内容物が外部へと漏れ出すことを防止する。また、天板１３ａの略中央部には貫通孔１３ｃが穿設され、天板１３ａの表面が平坦状に形成されるようにして、この貫通孔１３ｃには、ゴム製のパッキン１４が取り付けられている。
【００４９】
このようなキャップ４０Ａを用いることで、カテーテルの一方の針がキャップ４０Ａのパッキン１４とガスバリア材４９との双方につきたてられることによって二室容器１内の内容物を外部に取り出すことが可能となる。なお、カテーテルの他方の針は患者に刺入される。
【００５０】
このような二室容器によれば、キャップ４０Ａを回転させることなく、点滴等を行おうとしても点滴液（嫌気性剤と混合される液体）が流出することはないので、作業者は直ちに操作ミスを認識することができる。従って、生理食塩水等の液体と嫌気性剤との混合し忘れによる誤操作を未然に防止することができる。
【００５１】
また、本実施形態の二室容器の包装体１０は、図８に示すような袋を適用しても構わない。なお、以下の説明において、上述した包装体１０及び注出具３０と同一の機能を有する部材には同一の符号を付するものとし、その説明は省略するものとする。
【００５２】
具体的には、本実施形態の包装体１０Ａは、図８に示すように、例えば、２枚の包材を重ね合わせて配置した前後パネル２、３間に同様な包材で作られた襠パネル４を山折り状に挿入し、前後パネル２、３の左右の側縁同士、前後パネル２、３と襠パネル４の左右の側縁同士、及び襠パネル４の左右の側縁同士をそれぞれ熱接着により接合して形成される。
【００５３】
一方、本実施形態の包装体１０Ａに取り付けられる注出具３０Ａの注出具基部３３は、図１２に示すように、筒状部３４と、当該筒状部の基端側に設けられるフランジ７０と、を具備し、例えば、射出成型樹脂により一体成形される。そして、注出具３０Ａは、このフランジ７０を利用して上記包装体１０Ａの襠パネル４に取り付けられる。
【００５４】
すなわち、図８に示すように、襠パネル４に孔４ａが穿設され、この孔４ａに注出具基部３３が包装体１０Ａの内側から挿入され、フランジ７０が襠パネル４の内面に当てられて、熱接着等により接着された後で、包装体１０Ａの外部から収容体４５が取り付けられたキャップ４０が注出具基部３３に取り付けられることにより注出具３０Ａが包装体１０Ａに取り付けられる。
【００５５】
なお、包装体は、本実施形態に示す形態に限られず、自立性袋、ガセット袋等他の構造を有する袋体を適用することができる。
【００５６】
また、本実施形態の二室容器１に用いられる収容体４５には、仕切体３６の薄肉部３６ａを切断するための部材の一例として円柱状の突起体５０が設けられているが、図１０に示すような収容体４５Ａ、４５Ｂを適用しても構わない。なお、上述した収容体４５と同一の機能を有する部材には同一の符号を付するものとし、その説明は省略するものとする。
【００５７】
収容体４５Ａに設けられている突起体５０は、図１０（ａ）に示すように、等間隔に複数本配置したものであり、収容体４５Ｂに設けられている突起体５１は、図１０（Ｂ）に示すように、先端が尖った幅広の突起体を湾曲状に形成したものである。
【００５８】
このような収容体４５Ａ、４５Ｂによれば、仕切体３６の薄肉部３６ａをより確実に破断可能である。なお、内容物の種類や二室容器１が用いられる形態（例えば、飲料用等）によっては、筒状部３４から仕切体３６を完全に切り離すことを防止する必要がある。この場合には、キャップを閉め込む時の回転が半回転未満若しくは１回転未満となるように螺子３４ａ、４０ａの形状を設定すれば良い。
【００５９】
また、本実施形態の二室容器１に用いられる注出具基部３３の仕切体３６には、収容体４５の下端面（ガスバリア材４８）を破断するための部材の一例として先端が尖った突起体３７が設けられているが、図１１に示すような仕切体３６Ａ、３６Ｂを適用しても構わない。なお、上述した仕切体３６と同一の機能を有する部材には同一の符号を付するものとし、その説明は省略するものとする。
【００６０】
仕切体３６Ａに設けられている突起体３８は、図１１（ａ）に示すように、先端が尖った幅広の突起物を湾曲状に形成したものであり、仕切体３６Ｂに設けられている突起体３９は、図１１（ｂ）に示すように、三角錐状に形成した突起物を中央に配置したものである。
【００６１】
このような仕切体３６Ａ、３６Ｂによれば、収容体４５の下端面をより確実に破断可能である。なお、内容物の種類や二室容器１が用いられる形態（例えば、飲料用等）によっては、収容体４５の下端面を完全に切り離すことを防止する必要がある。この場合には、キャップを閉め込む時の回転が半回転未満若しくは１回転未満となるように螺子３４ａ、４０ａの形状を設定すれば良い。
【００６２】
なお、本発明は上記実施の形態に限定されるものではなく、例えば、上記実施形態に示す構成を適宜組み合わせたり、一般的に周知な構成を用いることができる。
【符号の説明】
【００６３】
１  二室容器
１０  包装体
３０  注出具
３４  筒状部
３６  仕切体
３７、５０  突起体
４０  キャップ
４５  収容体
４７、４８、４９  ガスバリア材
【図１】
2014023772.tif 000003
【図２】
2014023772.tif 000004
【図３】
2014023772.tif 000005
【図４】
2014023772.tif 000006
【図５】
2014023772.tif 000007
【図６】
2014023772.tif 000008
【図７】
2014023772.tif 000009
【図８】
2014023772.tif 000010
【図９】
2014023772.tif 000011
【図１０】
2014023772.tif 000012
【図１１】
2014023772.tif 000013
【図１２】
2014023772.tif 000014